【手続補正書】
【提出日】平成18年4月5日(2006.4.5)
【手続補正１】
【補正対象書類名】特許請求の範囲
【補正対象項目名】全文
【補正方法】変更
【補正の内容】
【特許請求の範囲】
【請求項１】
インターネット網によってゲートウェイ装置と接続され、前記ゲートウェイ装置を介して受信装置と情報を送受信する送信装置であって、
前記受信装置との間にリアルタイム的通信パスを形成するために前記ゲートウェイ装置との間に通信パスを形成する形成手段と、
前記通信パスを介してリアルタイム伝送手順により受信した前記受信装置の伝送機能情報に基づいて、使用する伝送機能を設定する設定手段と、
前記設定手段により設定した前記使用する伝送機能に基づいて、前記通信パスを介して前記受信装置へリアルタイム伝送手順により情報を送信する送信手段を備えたことを特徴とする送信装置。
【請求項２】
前記送信手段は、前記リアルタイム的通信パスがビジーか否かを判断し、その判断結果に基づいて情報を送信することを特徴とする請求項１記載の送信装置。
【請求項３】
前記送信手段は、前記リアルタイム伝送手順により前記ゲートウェイ装置から所定時間内に情報を受信したか否かを判断し、その判断結果に基づいて情報を送信することを特徴とする請求項１または２記載の送信装置。
【請求項４】
さらに情報を蓄積する蓄積手段を備え、
前記送信手段は、前記蓄積手段により蓄積した情報を送信することを特徴とする請求項１または請求項２または請求項３記載の送信装置。
【請求項５】
前記情報はパケットデータからなることを特徴とする請求項１または請求項２または請求項３または請求項４記載の送信装置。
【請求項６】
前記リアルタイム伝送手順は、ＩＴＵ−Ｔ勧告Ｔ．３８に準拠したリアルタイム型インターネットファクシミリ伝送手順であることを特徴とする請求項１または請求項２または請求項３または請求項４または請求項５記載の送信装置。
【請求項７】
第一のネットワークを介して接続可能な送信装置との間に第一の通信パスを形成する第一の通信パス形成手段と、
第二のネットワークを介して接続可能な受信装置との間に第二の通信パスを形成する第二の通信パス形成手段と、
前記第一の通信パスおよび前記第二の通信パスを使用して、前記送信装置と前記受信装置との間でリアルタイム伝送手順に基づくファクシミリ通信をするためのリアルタイム通信パスを形成するリアルタイム通信パス形成手段を備えたことを特徴とするゲートウェイ装置。
【請求項８】
前記送信装置から前記受信装置へのファクシミリ通信の結果を含む通信結果レポートを作成する通信結果レポート作成手段と、
前記通信結果レポート作成手段により作成した通信結果レポートを、受信した前記送信装置の識別情報に基づいて送信する通信結果レポート送信手段とを備えたことを特徴とする請求項７記載のゲートウェイ装置。
【請求項９】
前記第一のネットワークは公衆回線網であり、
前記第二のネットワークはインターネット網であることを特徴とする請求項７または８記載のゲートウェイ装置。
【請求項１０】
前記第一の通信パスと前記第二の通信パスの少なくとも一つはパケットデータに基づいてファクシミリ通信をする通信パスであることを特徴とする請求項７または請求項８または請求項９記載のゲートウェイ装置。
【請求項１１】
前記リアルタイム伝送手順は、ＩＴＵ−Ｔ勧告Ｔ．３８に準拠したリアルタイム型インターネットファクシミリ伝送手順であることを特徴とする請求項７または請求項８または請求項９または請求項１０記載のゲートウェイ装置。
【手続補正２】
【補正対象書類名】明細書
【補正対象項目名】発明の名称
【補正方法】変更
【補正の内容】
【発明の名称】送信装置およびゲートウェイ装置
【手続補正３】
【補正対象書類名】明細書
【補正対象項目名】０００１
【補正方法】変更
【補正の内容】
【０００１】
本発明は、インターネット網によってゲートウェイ装置と接続され、前記ゲートウェイ装置を介して受信装置と情報を送受信する送信装置、および、リアルタイム通信を可能とするためのゲートウェイ装置に関する。
【手続補正４】
【補正対象書類名】明細書
【補正対象項目名】００１５
【補正方法】変更
【補正の内容】
【００１５】
本発明は、かかる実情に鑑みてなされたものであり、通信料金の上昇を低減できる送信装置およびゲートウェイ装置を提供することを目的としている。
【手続補正５】
【補正対象書類名】明細書
【補正対象項目名】００１６
【補正方法】変更
【補正の内容】
【００１６】
本発明は、インターネット網によってゲートウェイ装置と接続され、前記ゲートウェイ装置を介して受信装置と情報を送受信する送信装置であって、前記受信装置との間にリアルタイム的通信パスを形成するために前記ゲートウェイ装置との間に通信パスを形成する形成手段と、前記通信パスを介してリアルタイム伝送手順により受信した前記受信装置の伝送機能情報に基づいて、使用する伝送機能を設定する設定手段と、前記設定手段により設定した前記使用する伝送機能に基づいて、前記通信パスを介して前記受信装置へリアルタイム伝送手順により情報を送信する送信手段を備えたものである。また、前記送信手段は、前記リアルタイム的通信パスがビジーか否かを判断し、その判断結果に基づいて情報を送信するようにしたものである。また、前記送信手段は、前記リアルタイム伝送手順により前記ゲートウェイ装置から所定時間内に情報を受信したか否かを判断し、その判断結果に基づいて情報を送信するようにしたものである。また、さらに情報を蓄積する蓄積手段を備え、前記送信手段は、前記蓄積手段により蓄積した情報を送信するようにしたものである。また、前記情報はパケットデータからなるものである。また、前記リアルタイム伝送手順は、ＩＴＵ−Ｔ勧告Ｔ．３８に準拠したリアルタイム型インターネットファクシミリ伝送手順である。
【手続補正６】
【補正対象書類名】明細書
【補正対象項目名】００１７
【補正方法】変更
【補正の内容】
【００１７】
また、第一のネットワークを介して接続可能な送信装置との間に第一の通信パスを形成する第一の通信パス形成手段と、第二のネットワークを介して接続可能な受信装置との間に第二の通信パスを形成する第二の通信パス形成手段と、前記第一の通信パスおよび前記第二の通信パスを使用して、前記送信装置と前記受信装置との間でリアルタイム伝送手順に基づくファクシミリ通信をするためのリアルタイム通信パスを形成するリアルタイム通信パス形成手段を備えたことを特徴とするゲートウェイ装置である。また、前記送信装置から前記受信装置へのファクシミリ通信の結果を含む通信結果レポートを作成する通信結果レポート作成手段と、前記通信結果レポート作成手段により作成した通信結果レポートを、受信した前記送信装置の識別情報に基づいて送信する通信結果レポート送信手段とを備えたものである。また、前記第一のネットワークは公衆回線網であり、前記第二のネットワークはインターネット網である。また、前記第一の通信パスと前記第二の通信パスの少なくとも一つはパケットデータに基づいてファクシミリ通信をする通信パスである。また、前記リアルタイム伝送手順は、ＩＴＵ−Ｔ勧告Ｔ．３８に準拠したリアルタイム型インターネットファクシミリ伝送手順である。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】